(57)【特許請求の範囲】
【請求項１】
遠隔端末が通信回線を介して接続可能な印刷装置であって、
前記遠隔端末とのデータ通信を行う通信部と、
前記通信部を制御する通信制御部と、
印刷媒体に対し印刷を行う印刷部と、
前記印刷部を制御する印刷制御部と、
給電された電力を前記印刷制御部に供給するメイン電源部と、
給電された電力を前記通信制御部に供給するサブ電源部と、
を備え、
前記通信制御部は、
電源断になった状態から給電が再開した時、前記メイン電源部が停止した状態において、前記サブ電源部からの電力を受けて、当該給電再開の情報を前記遠隔端末に送信することを特徴とする印刷装置。
【請求項２】
前記通信制御部は、前記給電再開の情報を前記遠隔端末に送信した後、前記遠隔端末か
らの起動要求を受けて、前記メイン電源部を起動することを特徴とする請求項１に記載の
印刷装置。
【請求項３】
前記給電再開の情報は、前記給電再開時のエラー情報を含むことを特徴とする請求項１
ないし２のいずれか一項に記載の印刷装置。
【請求項４】
前記通信制御部は、電源断になった時、当該電源断の情報を前記遠隔端末に送信するこ
とを特徴とする請求項１ないし３のいずれか一項に記載の印刷装置。
【請求項５】
遠隔端末が通信回線を介して接続可能な印刷装置の制御方法であって、
前記印刷装置は、
前記遠隔端末とのデータ通信を行う通信部と、
前記通信部を制御する通信制御部と、
印刷媒体に対し印刷を行う印刷部と、
前記印刷部を制御する印刷制御部と、
給電された電力を前記印刷制御部に供給するメイン電源部と、
給電された電力を前記通信制御部に供給するサブ電源部と、
を備えており、
電源断になった状態から給電が再開した時、前記メイン電源部が停止した状態において、前記サブ電源部からの電力を受けて、前記通信部により、当該給電再開の情報を前記遠隔端末に送信することを特徴とする印刷装置の制御方法。
【発明の詳細な説明】
【技術分野】
【０００１】
本発明は、印刷媒体に対し印刷を行う印刷装置および印刷装置の制御方法に関するものである。
【背景技術】
【０００２】
従来、この種の印刷装置（画像形成装置）として、印刷制御部を含むプリンターエンジンと、ソフトスイッチによる装置電源のＯＮ／ＯＦＦ状態を示す電源遷移情報を記憶する不揮発性メモリーと、通電が開始された時に、電源遷移情報がＯＮ状態であるか否かを判別し、判別の結果、電源遷移情報がＯＮ状態であるときには、プリンターエンジンへの電力供給を行わせるコントローラーと、を備えたものが知られている（特許文献１参照）。すなわち、この印刷装置では、コントローラーが、電源遷移情報に基づいて、停電等による装置の電源断からの給電開始であるか否かを判定し、電源断からの給電開始である場合には、プリンターエンジンへの電力供給を行わせる。このように、電源断からの給電再開時に、プリンターエンジンへの電力供給を行わせることで、当該給電再開時に、プリンターエンジンが停止したままになってしまう事態を避けることができる。
【先行技術文献】
【特許文献】
【０００３】
【特許文献１】特開２０１２−１７５４９６号公報
【発明の概要】
【発明が解決しようとする課題】
【０００４】
ところで、この種の印刷装置において、遠隔端末を、通信回線を介して接続し、遠隔端末により当該印刷装置の監視を行いたいという要請がある。特に、大判プリンター等の印刷装置では、継続的に装置を稼働し続けることになるため、装置を稼働し続ける間、遠隔端末により、遠隔地で印刷装置を監視可能とすることが求められている。
これに対し、上記従来の印刷装置の構成に、遠隔端末との通信を行う通信部を追加し、遠隔端末との通信を可能とする構成が考えられる。
しかしながら、このような構成では、電源断から給電が再開した時に、遠隔端末のユーザーが、この事象を知ることができないという問題が生じた。すなわち、ユーザーが、印刷装置の近くで印刷装置を監視するのであれば、電源断から給電が再開した時に、この事象を容易に知ることができるが、ユーザーが遠隔端末により遠隔地で印刷装置を監視する場合、この事象を知ることができなかった。
【０００５】
本発明は、電源断になった状態から給電が再開した時、遠隔端末のユーザーが、この事象を知ることができる印刷装置および印刷装置の制御方法を提供することを課題としている。
【課題を解決するための手段】
【０００６】
本発明の印刷装置は、遠隔端末が通信回線を介して接続可能な印刷装置であって、遠隔端末とのデータ通信を行う通信部と、通信部を制御する通信制御部と、を備え、通信制御部は、電源断になった状態から給電が再開した時、当該給電再開の情報を遠隔端末に送信することを特徴とする。
【０００７】
本発明の印刷装置の制御方法は、通信回線を介して遠隔端末とのデータ通信を行う通信部を備えた印刷装置の制御方法であって、電源断になった状態から給電が再開した時、通信部により、当該給電再開の情報を遠隔端末に送信することを特徴とする。
【０００８】
これらの構成によれば、電源断になった状態から給電が再開した時、当該給電再開の情報を遠隔端末に送信する構成であるため、電源断になった状態から給電が再開した時、遠隔端末のユーザーが、この事象（電源断状態から給電が再開したこと）を知ることができる。そのため、遠隔端末のユーザーが、この事象に対し迅速な対応を行うことができ、例えば、電源断によるダウンタイムを極力少なくすることができる。
【０００９】
上記の印刷装置において、印刷媒体に対し印刷を行う印刷部と、印刷部を制御する印刷制御部と、給電された電力を印刷制御部に供給するメイン電源部と、給電された電力を通信制御部に供給するサブ電源部と、を備え、通信制御部は、給電再開時に、メイン電源部が停止した状態において、サブ電源部からの電力を受けて、給電再開の情報を遠隔端末に送信することが好ましい。
【００１０】
この構成によれば、メイン電源部を停止した状態のまま、給電再開の情報を遠隔端末に送信することができる。すなわち、印刷部および印刷制御部が完全に停止した状態で、給電再開の情報を遠隔端末に送信することができる。
【００１１】
この場合、通信制御部は、給電再開の情報を遠隔端末に送信した後、遠隔端末からの起動要求を受けて、メイン電源部を起動することが好ましい。
【００１２】
この構成によれば、遠隔端末からの起動要求を待って、メイン電源部を起動する構成であるため、印刷装置が正常な状態であることを、遠隔端末のユーザーが確認してから、メイン電源部を起動することができる。
【００１３】
一方、給電再開の情報は、給電再開時のエラー情報を含むことが好ましい。
【００１４】
この構成によれば、遠隔端末のユーザーが、上記給電再開時に、印刷装置のエラー情報を知ることができる。よって、上記給電再開時に、印刷装置のエラー状態を迅速に解消することができ、印刷装置を迅速に再稼働することができる。
【００１５】
一方、通信制御部は、電源断になった時、当該電源断の情報を遠隔端末に送信することが好ましい。
【００１６】
この構成によれば、電源断になった時に、遠隔端末のユーザーが、この事象（電源断になったこと）を知ることができる。
【図面の簡単な説明】
【００１７】
【図１】本発明の一実施形態に係る印刷システムを示したシステム構成図である。
【図２】印刷装置の構成を示したブロック図である。
【図３】電源断時の動作を示したフローチャートである。
【図４】給電再開時の動作を示したフローチャートである。
【発明を実施するための形態】
【００１８】
以下、添付の図面を参照し、本発明の一実施形態に係る印刷装置および印刷装置の制御方法について説明する。実施形態では、本発明を適用した印刷装置を備える印刷システムを例示する。この印刷システムは、印刷装置により印刷媒体に対し印刷を行って、印刷物を作成するものであり、また、印刷装置にインターネットを介して接続された遠隔端末により、印刷装置を監視可能に構成されたものである。特に、本印刷システムは、停電等により電源断になった時や、その後、給電が再開した時に、遠隔端末のユーザーに、これらの事象を通知する構成を有するものである。
【００１９】
図１に示すように、印刷システムＳＹは、大判プリンターで構成された印刷装置１と、印刷装置１のホスト装置となる複数のホストコンピューター２と、印刷装置１および複数のホストコンピューター２を接続しＬＡＮ（ローカルエリアネットワーク）を構成するスイッチングハブ３（EthernetSwitch）と、スイッチングハブ３に接続され、ＬＡＮとインターネット４（通信回線）とを接続するブロードバンドルーター５と、ＬＡＮ、ブロードバンドルーター５およびインターネット４を介して印刷装置１に接続された遠隔端末６と、を備える（Ethernetは登録商標である）。すなわち、複数のホストコンピューター２は、ＬＡＮを介して印刷装置１に接続され、遠隔端末６は、ＬＡＮおよびインターネット４を介して、印刷装置１に接続される。
【００２０】
各ホストコンピューター２は、一般的なパーソナルコンピューターを利用可能であり、印刷装置１に対するホスト装置として機能する。すなわち、各ホストコンピューター２は、印刷装置１に対し各種要求を送信し、また印刷装置１から各種情報を受信する。具体的には、各ホストコンピューター２は、主に、印刷データを含む印刷要求を印刷装置１に送信して、印刷装置１に印刷を行わせる。
【００２１】
一方、遠隔端末６は、一般的なパーソナルコンピューターやスマートデバイスを利用可能であり、遠隔地で、印刷装置１を監視するための端末である。遠隔端末６は、印刷装置１に対し各種要求を送信し、印刷装置１から各種情報を受信する。また、遠隔端末６は、表示部を有し、印刷装置１から取得した各種情報を表示する。具体的には、遠隔端末６は、主に、印刷装置１に対しステータス要求を送信し、その返信として印刷装置１から送信される印刷装置１のステータス情報を取得する。そして、取得したステータス情報を表示部に表示する。
【００２２】
図２に示すように、印刷装置１は、印刷機能を実現する印刷機能部１１と、通信機能を実現する通信機能部１２と、印刷機能部１１に電力を供給するメイン電源ユニット１３（メイン電源部）と、通信機能部１２に電力を供給するサブ電源ユニット１４（サブ電源部）と、通信機能部１２の非常用電源として機能する大容量コンデンサー１５と、を備える。また、印刷装置１は、通信機能部１２（後述の通信モジュール３２）に接続された、タクトタイプの電源スイッチ１６、ロール紙交換スイッチ１７、インターロックセンサー１８およびカバーセンサー１９を備える。
【００２３】
印刷機能部１１は、印刷媒体に対し印刷を行う印刷エンジン２１（印刷部）と、印刷エンジン２１を制御するメインコントローラー２２（印刷制御部）と、を備える。
【００２４】
印刷エンジン２１は、大形のロール紙を印刷媒体とし、大形のロール紙に対し印刷を行って、大形の印刷物を作成する。印刷エンジン２１は、例えば、ロール紙を収容するロール紙収容部と、収容されたロール紙を送り経路に沿って紙送りする紙送り部と、送られていく印刷媒体に対しインクジェット方式で印刷を行う印刷部と、を備えたものである。
【００２５】
メインコントローラー２２は、印刷エンジン２１を制御する制御回路であり、高性能ＣＰＵ 、大容量半導体メモリー、大容量ストレージ（HDD/SSD）、画像処理ハードウェア、ＤＭＡコントローラー、メカコントローラーマイコン、モーター駆動ドライバー、アクチュエーター駆動ドライバー、およびオンボード電源生成回路等で構成される。そして、メインコントローラー２２は、メイン電源ユニット１３からの電力を印刷エンジン２１に供給すると共に、印刷エンジン２１を制御し、通信機能部１２により受信した印刷データに基づいて、印刷媒体に対する印刷を実行する。
【００２６】
メイン電源ユニット１３は、外部から給電された電力を、印刷機能部１１に供給する。すなわち、メイン電源ユニット１３は、給電された電力を、メインコントローラー２２に供給する。メイン電源ユニット１３は、高電圧４２Ｖとロジック系電圧５Ｖとの電力供給を可能とする。また、メイン電源ユニット１３は、大容量コンデンサー１５に接続されており、大容量コンデンサー１５の充電を行う。よって、メイン電源ユニット１３が起動したとき、大容量コンデンサー１５の充電が行われる構成となる。
【００２７】
一方、サブ電源ユニット１４は、メイン電源ユニット１３と独立して動作可能な電源ユニットであり、外部から給電された電力を、通信機能部１２に供給する。すなわち、サブ電源ユニット１４は、給電された電力を、後述の通信モジュール３２に供給する。サブ電源ユニット１４は、ロジック系電圧５Ｖの電力供給を可能とする。
【００２８】
大容量コンデンサー１５は、メイン電源ユニット１３により充電され、通信機能部１２の非常用電源として機能する。具体的には、大容量コンデンサー１５は、電源断になったとき（印刷装置１への給電が中断したとき）に、サブ電源ユニット１４に代わって、通信機能部１２（後述の通信モジュール３２）に対し電力を供給する。なお、通信機能部１２に対して、通常、メイン電源ユニット１３から電力を供給し、電源断になったときに、大容量コンデンサー１５から電力を供給する構成としても良い。
【００２９】
通信機能部１２は、ホストコンピューター２や遠隔端末６とのデータ通信を行う通信インターフェース３１（通信部）と、通信インターフェース３１を制御する通信モジュール３２（通信制御部）と、を備える。
【００３０】
通信インターフェース３１は、GigabitEthernetポート等で構成され、ＬＡＮを介して、ホストコンピューター２とのデータ通信を行うと共に、ＬＡＮおよびインターネット４を介して、遠隔端末６との通信を行う。
【００３１】
通信モジュール３２は、メインコントローラー２２と独立して動作可能で且つ通信インターフェース３１を制御する制御回路（サブコントローラー）であり、10/100/1000BaseEthernetNICコントローラー、ＤＭＡコントローラー、半導体メモリー（例えばＮＶＲＡＭ）、および動的に動作クロック周波数を変更可能なマイコン等で構成される。そして、通信モジュール３２は、通信インターフェース３１を制御し、ホストコンピューター２や遠隔端末６とのデータ通信を実行する。すなわち、通信モジュール３２は、通信インターフェース３１により、ホストコンピューター２および遠隔端末６から、各種要求を受信すると共に、各種情報をホストコンピューター２および遠隔端末６に送信する。例えば、通信モジュール３２は、ホストコンピューター２から印刷要求を受信する。また、例えば、ホストコンピューター２や遠隔端末６から、ステータス要求を受信し、このステータス要求に従い、印刷装置１のステータス情報をホストコンピューター２や遠隔端末６に返信する。
【００３２】
また、通信モジュール３２は、タクトタイプの電源スイッチ１６、ロール紙交換スイッチ１７、インターロックセンサー１８およびカバーセンサー１９が接続され、これらの監視を行う。すなわち、通信モジュール３２は、電源スイッチ１６およびロール紙交換スイッチ１７の操作情報と、インターロックセンサー１８およびカバーセンサー１９の検出情報とを取得する。
【００３３】
さらに、通信モジュール３２は、高速バス３３を介してメインコントローラー２２と接続され、メインコントローラー２２との情報のやり取りを行う。具体的には、通信モジュール３２は、通信インターフェース３１により受信した印刷データをメインコントローラー２２に高速転送すると共に、メインコントローラー２２とのメッセージ通信を行う。
【００３４】
またさらに、通信モジュール３２は、メイン電源ユニット１３が接続され、メイン電源ユニット１３に対しメイン電源制御信号を出力し、メイン電源ユニット１３の起動／停止を制御する。そして、通信モジュール３２は、電源スイッチ１６の操作情報を受けてメイン電源ユニット１３の起動／停止を制御する機能に加え、印刷装置１の動作モードを、メイン電源ユニット１３を起動した状態の通常モードと、メイン電源ユニット１３を停止した状態の省電力待機モードおよびリモート起動待機モードと、の間で切り替える機能を有する。
【００３５】
通常モードは、メイン電源ユニット１３およびサブ電源ユニット１４を起動した状態とし、ホストコンピューター２からの印刷要求を受けて、印刷を実行するモードである。すなわち、通常モードでは、通信モジュール３２が、ホストコンピューター２からの、印刷データを含む印刷要求を受信したとき、印刷データをメインコントローラー２２に転送する。そして、メインコントローラー２２が、印刷エンジン２１により、印刷データに基づく印刷を行う。
【００３６】
省電力待機モードは、メイン電源ユニット１３を停止しサブ電源ユニット１４を起動した状態とし、ホストコンピューター２からの印刷要求を受けて、メイン電源ユニット１３を起動し印刷を実行するモードである。すなわち、省電力待機モードでは、通信モジュール３２が、ホストコンピューター２からの、印刷データを含む印刷要求を受信したとき、メイン電源ユニット１３を起動した後、印刷データをメインコントローラー２２に転送する。そして、メインコントローラー２２が、印刷エンジン２１により、印刷データに基づく印刷を行う。なお、省電力待機モードにおいて、通信モジュール３２が、ホストコンピューター２から省電力復帰要求を受信した場合には、メイン電源ユニット１３を起動し通常モードに移行する。通常モードに移行する際には、印刷エンジン２１の初期化処理を行い、印刷装置１を印刷可能な状態にする。
【００３７】
リモート起動待機モードは、メイン電源ユニット１３を停止しサブ電源ユニット１４を起動した状態とし、遠隔端末６からの起動要求を受けて、メイン電源ユニット１３を起動するモードである。すなわち、リモート起動待機モードでは、通信モジュール３２が、遠隔端末６からの起動要求を受信したとき、これを受けて、メイン電源ユニット１３を起動し通常モードに移行する。通常モードに移行する際には、省電力待機モードの場合と同様、印刷エンジン２１の初期化処理を行い、印刷装置１を印刷可能な状態にする。これによって、印刷機能部１１が稼動可能な状態となり、前回の稼動において中断した印刷処理がある場合には、中断している印刷処理を再開する（再稼働）。なお、リモート起動待機モードでは、消費電力を極力低減するため、ロール紙交換スイッチ１７、インターロックセンサー１８およびカバーセンサー１９への通電を遮断し、また、通信インターフェース３１の通信モードを、デフォルトの「HighSpeed」から「FullSpeed」に変更する。
【００３８】
なお、省電力待機モードおよびリモート起動待機モードでは、通信モジュール３２におけるマイコンの動作クロック周波数を、通常値から、通常値より低い所定の低値に変更する。これによって、省電力待機モード時およびリモート起動待機モード時における消費電力をより低減させる。
【００３９】
ところで、この種の印刷装置１では、電源断（外部からの給電が中断）になって印刷装置１が停止した時や、その後、給電が再開した時に、遠隔端末６のユーザーが、この事象を知ることができないという問題があった。
これに対し、本印刷装置１では、電源断になった時や、その後、給電が再開した時に、通信モジュール３２が、これらの事象を遠隔端末６に通知する機能を有する。
【００４０】
具体的には、通信モジュール３２は、電源断になって印刷装置１が停止する時（以下、電源断時と呼称）に、電源断の情報を含むメール（以下、電源断情報メールと呼称）を遠隔端末６に送信して、電源断の情報を遠隔端末６に通知する。例えば、通信モジュール３２は、電源断の情報として、電源断になって印刷装置１が停止する旨のメッセージと、電源断発生時刻と、を含む電源断情報メールを、遠隔端末６に送信する。これにより、遠隔端末６のユーザーは、送信された電源断情報メールを表示部で確認することで、電源断になって印刷装置１が停止する旨と、電源断発生時刻と、を知ることができる。
【００４１】
なお、電源断時には、サブ電源ユニット１４の電源供給が停止するため、通信モジュール３２は、サブ電源ユニット１４に代え、大容量コンデンサー１５からの電力供給を受けて、メール送信を行う。すなわち、通信モジュール３２への電力供給を、サブ電源ユニット１４から大容量コンデンサー１５に切り替えて、上記メール送信を行う。
【００４２】
また、通信モジュール３２は、電源断になった状態から給電が再開した時（以下、給電再開時と呼称）、給電再開の情報を含むメール（以下、給電再開情報メールと呼称）を遠隔端末６に送信して、給電再開の情報を遠隔端末６に通知する。例えば、給電再開の情報として、給電が再開した旨のメッセージと、給電再開時（給電再開時）のエラー情報（印刷装置１のエラー情報）と、を含む給電再開情報メールを、遠隔端末６に送信する。これにより、遠隔端末６のユーザーは、送信されたメールを表示部で確認することで、給電が再開した旨と、給電再開時のエラー状態と、を知ることができる。なお、当該エラー情報は、インターロックセンサー１８やカバーセンサー１９の検出情報や、電源断時にメインコントローラー２２から得られた情報等に基づいて取得する。また、給電再開情報メールに、前回の停止時に電源断が発生した旨のメッセージと、電源断発生時刻と、電源断時におけるメール送信結果（メール送信の成否）と、を含めることが好ましい。
【００４３】
なお、給電再開時には、通信モジュール３２は、メイン電源ユニット１３を停止した状態において、サブ電源ユニット１４からの電力を受けて、メール送信を行う。より説明すると、給電が再開した時、通信モジュール３２は、メイン電源ユニット１３を停止した状態のまま、サブ電源ユニット１４からの電力供給を受けてメール送信を行い、メール送信の後、リモート起動待機モードに移行する。すなわち、メール送信の後、遠隔端末６からの起動要求を受けて、メイン電源ユニット１３を起動する構成となる。
給電再開時のリモード起動待機モードにおいては、起動要求を受けてメイン電源ユニット１３を起動し、印刷エンジン２１の初期化処理を経て印刷装置１が印刷可能状態になったとき、印刷可能状態になった旨を遠隔端末６に送信する。なお、何かしらのエラーによって、印刷可能状態にならなかった場合には、エラーによって印刷可能状態にならなかった旨を遠隔端末６に送信する。
【００４４】
ここで図３および図４を参照して、印刷装置１による電源断時の動作、および給電再開時の動作について説明する。まず、図３を参照して、印刷装置１による電源断時の動作について説明する。本動作は、メイン電源ユニット１３およびサブ電源ユニット１４を起動した状態から実行されるものとする。なお、図示省略するが、本動作中において、通信モジュール３２への電源供給が、サブ電源ユニット１４から大容量コンデンサー１５に自動的に切り替わる構成を有する。すなわち、本動作中において、サブ電源ユニット１４の出力電圧が低下することになるが、このとき、通信モジュール３２への電源供給が、サブ電源ユニット１４から大容量コンデンサー１５に自動的に切り替わり、通信モジュール３２が、大容量コンデンサー１５からの電力供給を受けて、メール送信を含む各処理を行う構成となる。
【００４５】
図３に示すように、電源断になると、通信モジュール３２およびメインコントローラー２２のそれぞれで、メイン電源ユニット１３における出力電圧の低下を検出し、これをトリガーとして、それぞれの処理を開始する。まず、通信モジュール３２は、メイン電源ユニット１３における出力電圧の低下を検出すると（Ｓ１：Ｙｅｓ）、電源断になった旨を示す電源断発生フラグと、電源断発生時刻（現在の時刻）と、バックアップデータと、を半導体メモリーに記憶する（Ｓ２）。ここにいう「バックアップデータ」は、実行していた印刷ジョブや印刷ジョブ履歴に関する情報である。その後、現在実行中の処理の中断処理を行い（Ｓ３）、メインコントローラー２２からの電源遮断通知の受付待ちの状態に移行する（Ｓ４）。なお、ここにいう「中断処理」は、安全確保、メカ状態保全、ファイル破壊を防ぐためのクローズ処理であり、例えば、モータードライブ回路を無効にしブレーキ回路を接続する処理や、印刷媒体押えソレノイドのドライブ停止処理、キャッシュデータのキャッシュフラッシュ処理、ファイルシステムのクローズ処理等である。
【００４６】
一方、メインコントローラー２２は、メイン電源ユニット１３における出力電圧の低下を検出すると（Ｓ５：Ｙｅｓ）、印刷エンジン２１のモーターおよびアクチュエーターを停止させ（Ｓ６）、印刷エンジン２１への高電圧４２Ｖの電力供給をオフにする（Ｓ７）。その後、メインコントローラー２２のシステム終了処理（全ファームウェアの終了処理）を行う（Ｓ８）。メインコントローラー２２のシステム終了処理が終了したら、電源遮断通知を通信モジュール３２に出力する（Ｓ９）。
【００４７】
これに対し、通信モジュール３２は、メインコントローラー２２からの電源遮断通知を受け付けると（Ｓ４：Ｙｅｓ）、メイン電源ユニット１３を停止する（電源遮断）（Ｓ１０）。そして、電源断情報メールを遠隔端末６に送信する（Ｓ１１）。すなわち、通信モジュール３２は、電源断になって印刷装置１が停止する旨のメッセージと、上記工程（Ｓ２）で記憶した電源断発生時刻と、を含む電源断情報メールを遠隔端末６に送信する。
【００４８】
電源断情報メールを遠隔端末６に送信したら、マイコンの動作クロック周波数を上記所定の低値に変更する（Ｓ１２）。その後、メール情報ステータスレジストリー内のデータを参照し、上記メール送信の成否を判定する（Ｓ１３）。判定の結果、メール送信が成功したと判定された場合（Ｓ１３：Ｙｅｓ）には、メール送信成功フラグを作成し（Ｓ１４）、メール送信が失敗したと判定された場合（Ｓ１３：Ｎｏ）には、メール送信失敗フラグを作成する（Ｓ１５）。
【００４９】
メール送信結果フラグ（メール送信成功フラグまたはメール送信失敗フラグ）を作成したら、作成したメール送信結果フラグを半導体メモリーに記憶する（Ｓ１６）。その後、通信モジュール３２のシステム終了処理（全ファームウェアの終了処理）を行い（Ｓ１７）、本動作を終了する。
【００５０】
次に図４を参照して、印刷装置１による給電再開時の動作について説明する。本動作は、印刷装置１への給電が再開してサブ電源ユニット１４が起動し、通信モジュール３２が起動した時に実行される。
【００５１】
図４に示すように、まず、通信モジュール３２は、初期化処理を行う（Ｓ２１）。その後、マイコンの動作クロック周波数を上記所定の低値に変更し（Ｓ２２）、メイン電源ユニット１３を停止する（Ｓ２３）。なお、給電再開時には、基本的に、マイコンの動作クロック周波数が上記所定の低値になった状態であり、またメイン電源ユニット１３を停止した状態であるため、これらの処理（Ｓ２２およびＳ２３）は、予備的に実行されるものである。
【００５２】
メイン電源ユニット１３を停止したら、半導体メモリーに記憶された電源断発生フラグに基づく判定によって、前回の印刷装置１の停止が、電源断に伴うものであると判定する（Ｓ２４）。なお、図示省略するが、この判定で、前回の印刷装置１の停止が、電源断に伴うものでないと判定された場合には、通常の起動処理を行う。すなわち、電源スイッチ１６の押下待ちの状態に移行し、電源スイッチ１６が押下されたら、通信モジュール３２において、メイン電源ユニット１３の起動、マイコンの動作クロック周波数の通常値への変更、およびシステム起動処理を実行し、メインコントローラー２２において、初期化処理、およびシステム起動処理を実行して、通常モードに移行する。
【００５３】
Ｓ２４に戻り、前回の印刷装置１の停止が、電源断に伴うものであると判定されたら、給電再開情報メールを遠隔端末６に送信する（Ｓ２５）。すなわち、通信モジュール３２は、給電が再開した旨のメッセージと、給電再開時のエラー情報（印刷装置１のエラー情報）と、前回の停止時に電源断が発生した旨のメッセージと、電源断時の工程（Ｓ２）で記憶した電源断発生時刻と、電源断時の工程（Ｓ１６）で記憶したメール送信結果フラグに基づくメール送信結果と、を含む給電再開情報メールを遠隔端末６に送信する。
【００５４】
給電再開情報メールを遠隔端末６に送信したら、遠隔端末６からの起動要求待ちの状態に移行する（Ｓ２６）。すなわち、リモート起動待機モードに移行する。これにより、本動作を終了する。
なお、この状態において、通信モジュール３２が、遠隔端末６から起動要求を受けると、通信モジュール３２が、メイン電源ユニット１３を起動する。その後、印刷エンジン２１の初期化処理を行って、印刷装置１が印刷可能な状態になる。そして、印刷装置１が印刷可能状態になった旨を遠隔端末６に送信する。
【００５５】
以上のような構成によれば、印刷装置１において、電源断になった状態から給電が再開した時、給電再開の情報を遠隔端末６に送信する構成であるため、電源断になった状態から給電が再開した時、遠隔端末６のユーザーが、この事象（電源断状態から給電が再開したこと）を知ることができる。そのため、遠隔端末６のユーザーが、この事象に対し迅速な対応を行うことができ、例えば、電源断によるダウンタイムを極力少なくすることができる。
【００５６】
また、印刷装置１において、メインコントローラー２２に電力を供給するメイン電源ユニット１３と、通信モジュール３２に電力を供給するサブ電源ユニット１４とで、電源部を２つに分けたことで、メイン電源ユニット１３を停止した状態のまま、給電再開の情報を遠隔端末６に送信することができる。すなわち、印刷エンジン２１およびメインコントローラー２２が完全に停止した状態で、給電再開の情報を遠隔端末６に送信することができる。
【００５７】
さらに、印刷装置１において、給電再開時に、メイン電源ユニット１３を即起動するのではなく、給電再開の情報を遠隔端末６に送信し、その後、遠隔端末６からの起動要求を待って、メイン電源ユニット１３を起動する構成であるため、印刷装置１が正常な状態であることを、遠隔端末６のユーザーが確認してから、メイン電源ユニット１３を起動することができる。
【００５８】
またさらに、印刷装置１において、給電再開の情報として、給電が再開した旨のメッセージに加え、給電再開時のエラー情報を送信する構成であるため、遠隔端末６のユーザーが、給電再開時に、印刷装置１のエラー情報を知ることができる。よって、給電再開時に、印刷装置１のエラー状態を迅速に解消することができ、印刷装置１を迅速に再稼働することができる。
【００５９】
また、印刷装置１において、電源断になった時、電源断の情報を遠隔端末６に送信する構成であるため、電源断時に、遠隔端末６のユーザーが、この事象（電源断になったこと）を知ることができる。
【００６０】
なお、上記実施形態においては、電源断になって印刷装置１が停止する時に、電源断情報メールを遠隔端末６に送信すると共に、給電が再開した時に、給電再開情報メールを遠隔端末６に送信する構成であったが、これらの内、一方のみを行う構成でも良い。
【００６１】
また、上記実施形態においては、サブ電源ユニット１４や大容量コンデンサー１５によって、通信モジュール３２の電力供給を行う構成であったが、サブ電源ユニット１４や大容量コンデンサー１５に代え、通信インターフェース３１を経由したＰｏＥ（Power  over  Ethernet）によって、通信モジュール３２の電力供給を行う構成でも良い。また、通信機能部１２が、ＵＳＢ（Universal  Serial  Bus）インターフェースを更に備え、ＵＳＢのＶＢＵＳ電力供給機能を利用して、通信モジュール３２の電力供給を行う構成でも良い。例えば、電源断になって印刷装置１が停止する時に、サブ電源ユニット１４による電力供給から、ＰｏＥやＶＢＵＳ電力供給機能による電力供給に切り替える構成でも良い。
【００６２】
なお、上記実施形態においては、メイン電源ユニット１３が停止した状態において、通信モジュール３２が、遠隔端末６からの起動要求を受けて、メイン電源ユニット１３を起動する構成であったが、メイン電源ユニット１３が起動した状態において、通信モジュール３２が、遠隔端末６からの停止要求を受けて、メイン電源ユニット１３を停止する構成でも良い。
【００６３】
また、上記実施形態においては、遠隔端末６からの起動要求を待って、メイン電源ユニット１３を起動する構成であったが、遠隔端末６からの起動要求を待たずに、メイン電源ユニット１３を起動する構成でも良い。例えば、給電再開情報メールを送信した後、即、メイン電源ユニット１３を起動する構成でも良いし、給電再開情報メールを送信した後、一定時間経過したら、メイン電源ユニット１３を起動する構成でも良い。さらに、メイン電源ユニット１３を起動した際、前回の稼動において中断した印刷処理がある場合には、印刷処理再開の要求を待たずに、中断している印刷処理を再開する構成でも良い。
【００６４】
なお、上記実施形態においては、遠隔端末６がインターネット４を介して接続可能な印刷装置１を用いる構成であったが、遠隔端末６が通信回線を介して接続可能な印刷装置１を用いる構成であれば、これに限るものではない。例えば、遠隔端末６が、ＷＡＮ（Wide  Area  Network）やＭＡＮ（Metropolitan  Area  Network）等の、インターネット４以外のネットワークを介して接続可能な印刷装置１を用いる構成でも良いし、遠隔端末６が電話回線を介して接続可能な印刷装置１を用いる構成でも良い。
【符号の説明】
【００６５】
１…印刷装置、１１…印刷機能部、１２…通信機能部、１３…メイン電源ユニット、１４…サブ電源ユニット、１５…大容量コンデンサー、１６…電源スイッチ、１７…ロール紙交換スイッチ、１８…インターロックセンサー、１９…カバーセンサー、２１…印刷エンジン、２２…メインコントローラー、３１…通信インターフェース、３２…通信モジュール、３３…高速バス
【図１】
0006676934.tif 000002
【図２】
0006676934.tif 000003
【図３】
0006676934.tif 000004
【図４】
0006676934.tif 000005